(57)【要約】【課題】異なる投影パターンを映す、レーザーポインターの投影ヘッドを提供すること。【解決手段】レーザーポインターの投影ヘッドは、ベース部材と、歯車と、位置決めステージと、キャップとを含む。前記ベース部材は、前方端部と、レーザー通路とを有する。前記レーザー通路をレーザー光が通過する。前記歯車は、前記ベース部材の前記前方端部に回転可能に取り付けられており、異なる複数の画像パターンを有する。各画像パターンは、前記歯車が回転されるときに前記ベース部材の前記レーザー通路の前方開口部を選択的に覆う。前記位置決めステージは該位置決めステージと前記ベース部材との間に前記歯車を保持している。前記位置決めステージは、前記レーザー光が通過する通路を有する。前記キャップは、前記歯車と噛み合わされた環状歯車を有する。このため、前記歯車は、前記キャップが回転されるときに回転する。前記投影ヘッドは、前記歯車の回転により、異なる投影パターンを映す。【選択図】図２
0003140660.tif 000002
【実用新案登録請求の範囲】
【請求項１】
レーザー放出ルートを経てレーザー光を放出するレーザーポインターに取り付けられ、異なる投影パターンを映す投影ヘッドであって、
前方端部と前記レーザーポインターに取り付けられた後方端部と前記レーザーポインターの前記レーザー放出ルートと対応するレーザー通路とを有するベース部材と、
該ベース部材の前記レーザー通路の前方開口部に隣接し、該前方開口部を覆う、前記ベース部材の前記前方端部に回転可能に取り付けられた歯車と、
前記ベース部材の前記前方端部に取り付けられた位置決めステージであって該位置決めステージと前記ベース部材との間に前記歯車を保持する位置決めステージと、
該位置決めステージ、前記歯車及び前記ベース部材を覆うキャップとを含み、
前記歯車は異なる複数の画像パターンを有し、各画像パターンは、前記歯車を回転させることにより、前記ベース部材の前記レーザー通路の前記前方開口部と選択的に対応し、
前記位置決めステージは、前方端部と、後方端部と、前記ベース部材の前記レーザー通路と対応する通路とを有し、
前記キャップは、前方端部と、内面と、前記キャップの前記前方端部に形成され、前記位置決めステージの前記通路の前方開口部と対応する窓と、前記キャップの前記内面に形成され、前記歯車と噛み合わされた、前記画像パターンにより異なる投影パターンを映すために前記キャップが回転されたときに前記歯車を回転させる環状歯車とを有する、投影ヘッド。
【請求項２】
前記歯車は、前記レーザー光を回折させる回折光学膜で作られている、請求項１に記載の投影ヘッド。
【請求項３】
前記歯車は、複数のセグメントに分けられており、それぞれが前記セグメントに形成された複数の画像パターンを有する、請求項１に記載の投影ヘッド。
【請求項４】
前記位置決めステージの前記前方端部に取り付けられたベアリングを含み、
前記位置決めステージは、該位置決めステージの前記前方端部に形成された、前方端部を有する突起を有し、
前記位置決めステージの前記通路は前記位置決めステージの前記突起を貫通しており、
前記ベアリングは、前記位置決めステージの前記突起に固定された内側リングと、外側リングとを有し、
前記キャップは、前記ベアリングを覆っており、前記キャップの前記内面に形成されかつ前記ベアリングの前記外側リングと噛み合わされた噛合せ部分を有する、請求項１に記載の投影ヘッド。
【請求項５】
前記位置決めステージの前記前方端部に取り付けられたラチェットを含み、
該ラチェットは、前面と、縁部と、前記位置決めステージの前記突起と対応する貫通孔と、それぞれが前記ラチェットの前記前面に形成され、前記ラチェットの前記縁部に位置する複数の歯とを有し、
前記キャップは、前記ラチェットを覆っており、それぞれが前記キャップの前記内面に形成され、前記ラチェットの前記歯と対応する複数の戻止めを有する、請求項４に記載の投影ヘッド。
【請求項６】
前記ラチェットの前記歯は前記ラチェットの前記前面に時計回りに形成されており、前記戻止めは前記キャップの前記内面に時計回りに形成されている、請求項５に記載の投影ヘッド。
【請求項７】
前記ベース部材は、該ベース部材の前記前方端部に形成された突起を有する、請求項１に記載の投影ヘッド。
【請求項８】
前記位置決めステージは前記ベース部材の前記突起にねじで固定されている、請求項７に記載の投影ヘッド。
【考案の詳細な説明】
【技術分野】
【０００１】
本考案は、異なる投影パターンを映す、レーザーポインターの投影ヘッドに関する。
【背景技術】
【０００２】
プレゼンテーション中にレーザーポインターがよく使用される。前記レーザーポインターがレーザー光を放出し、スクリーンに投影パターンを映すため、発表者が聞き手に何に注目すべきかを容易に示すことができる。
【０００３】
従来のレーザーポインターは、棒状のハウジングと、レーザーモジュールと、コリメーターとを有する。前記ハウジングの端部は貫通孔を有する。前記レーザーモジュールは、前記ハウジングに取り付けられており、光を発生させ、該光を放出する。前記コリメーターは、前記ハウジングに取り付けられており、前記レーザーモジュールから放出された光を一直線状にする。一直線状にされた光は、前記ハウジングの前記貫通孔から投射され、前記スクリーンに点画像を映す。
【０００４】
従来の他のレーザーポインターは取外し可能な複数の投影ヘッドを有する。各投影ヘッドは、前記レーザーポインターが交換式の異なる投影パターンを映すことができるように、前記ハウジングの端部に取外し可能に取り付けることができ、画像パターンを有する。
【０００５】
しかし、前記発表者は、プレゼンテーション中に異なる投影パターンを示すために前記投影ヘッドを交換しなければならず、不便である。
【考案の開示】
【考案が解決しようとする課題】
【０００６】
本考案は、前記した問題点を改善するため、異なる投影パターンを映す、レーザーポインターの投影ヘッドを提供する。
【０００７】
本考案の目的は、異なる投影パターンを映す、レーザーポインターの投影ヘッドを提供することである。
【課題を解決するための手段】
【０００８】
本考案に係る投影ヘッドは、ベース部材と、歯車と、位置決めステージと、キャップとを含む。前記ベース部材は、前方端部と、レーザー通路とを有する。前記レーザー通路をレーザー光が通過する。前記歯車は、前記ベース部材の前記前方端部に回転可能に取り付けられており、異なる複数の画像パターンを有する。各画像パターンは、前記歯車が回転されるときに前記ベース部材の前記レーザー通路の前方開口部を選択的に覆う。前記位置決めステージは該位置決めステージと前記ベース部材との間に前記歯車を挟んでいる。前記位置決めステージは、前記レーザー光が通過する通路を有する。前記キャップは、前記歯車と噛み合わされた環状歯車を有する。このため、前記歯車は、前記キャップが回転されるときに回転する。前記投影ヘッドは、前記歯車の回転により、異なる投影パターンを映す。
【考案を実施するための最良の形態】
【０００９】
図１に示すように、異なる投影パターンを映す投影ヘッド１０が、レーザー放出ルートを経てレーザー光を放出するレーザーポインター２０に取り付けられている。
【００１０】
図２、３に示すように、投影ヘッド１０は、ベース部材１１と、歯車１２と、位置決めステージ１３と、ラチェット１４と、ベアリング１５と、キャップ１６とを含む。
【００１１】
ベース部材１１は、前方端部と、後方端部と、レーザー通路１１１と、突起１１２とを有する。ベース部材１１の前記後方端部はレーザーポインター２０に取り付けられている。レーザー通路１１１は、前記レーザー光がベース部材１１を通過することができるように、ベース部材１１を貫通しており、レーザーポインター２０の前記レーザー放出ルートと対応している。突起１１２はベース部材１１の前記前方端部に形成されている。
【００１２】
歯車１２は、ベース部材１１の前記前方端部に回転可能に取り付けられており、レーザー通路１１１の前方開口部に隣接し、該前方開口部を覆っている。歯車１２は、異なる複数の画像パターンを有する。歯車１２は、前記レーザー光を回折させる回折光学膜からなる。各画像パターンは、スクリーンに投影パターンを映すために歯車１２が回転されたとき、ベース部材１１のレーザー通路１１１の前記前方開口部と選択的に対応する。各画像パターンは、前記レーザー光を回折させる格子パターンからなるものとすることができる。歯車１２は、複数のセグメントに均等に分けられており、それぞれが前記セグメントに形成された複数の画像パターンを有する。例えば、３つの画像パターンのそれぞれが歯車１２の前記セグメントに形成されており、前記画像パターンは、四角形、星形及び三角形である。
【００１３】
位置決めステージ１３は、ベース部材１１の前記前方端部に取り付けられており、ベース部材１１と位置決めステージ１３との間に歯車１２を保持している。位置決めステージ１３は、ベース部材１１の突起１１２にねじで固定されており、前方端部と、後方端部と、突起１３２と、通路１３１とを有する。突起１３２は、位置決めステージ１３の前記前方端部に形成されており、前方端部を有する。通路１３１は、突起１３２を貫通しており、ベース部材１１のレーザー通路１１１と対応している。
【００１４】
ラチェット１４は、位置決めステージ１３の前記前方端部に取り付けられており、前面と、縁部と、貫通孔１４１と、複数の歯１４２とを有する。貫通孔１４１は位置決めステージ１３の突起１３２と対応している。各歯１４２は、ラチェット１４の前記前面に形成されており、ラチェット１４の前記縁部に位置する。歯１４２はラチェット１４の前記前面に時計回りに打ち抜かれている。
【００１５】
図４に示すように、ベアリング１５は、ラチェット１４の前記前面に取り付けられており、内側リング１５１と、外側リング１５２とを有する。内側リング１５１は、円滑な動きを与えるために位置決めステージ１３の突起１３２に選択的に固定されている。
【００１６】
キャップ１６は、ベアリング１５、ラチェット１４、位置決めステージ１３、歯車１２及びベース部材１１を覆っており、前方端部と、内面と、窓１６１と、噛合せ部分１６２と、複数の戻止め１６３と、環状歯車１６４とを有する。窓１６１は、キャップ１６の前記前方端部に形成されており、位置決めステージ１３の通路１３１の前方開口部と対応している。噛合せ部分１６２は、キャップ１６の前記内面に形成されており、ベアリング１５の外側リング１５２と噛み合わされている。各戻止め１６３は、キャップ１６の前記内面に形成されており、ラチェット１４の歯１４２と対応している。歯１４２がラチェット１４に時計回りに形成されているとき、キャップ１６が時計回りに回転可能であり、かつ反時計回りに回転することがないように、戻止め１６３はキャップ１６の前記内面に時計回りに形成されている。環状歯車１６４は、キャップ１６の前記内面に形成されており、キャップ１６が回転されたときに歯車１２を回転させるために該歯車と噛み合わされている。図５に示すように、キャップ１６の回転により、ベース部材１１のレーザー通路１１１の前記前方開口部に位置する画像パターンを変える。投影ヘッド１０を備えたレーザーポインター２０は、レーザー放出ルート上の異なる画像パターンにより、スクリーンに異なる投影パターンを映す。
【図面の簡単な説明】
【００１７】
【図１】本考案に係る投影ヘッド及びレーザーポインターの分解斜視図。
【図２】図１に示した投影ヘッドの、前方から見たときの分解斜視図。
【図３】図１に示した投影ヘッドの、後方から見たときの分解斜視図。
【図４】図１に示したレーザーポインターに接続された投影ヘッドの縦断面図。
【図５】図１に示した投影ヘッドの横断面図。
【符号の説明】
【００１８】
１０    投影ヘッド
１１    ベース部材
１２    歯車
１３    位置決めステージ
１４    ラチェット
１５    ベアリング
１６    キャップ
２０    レーザーポインター
１１１    レーザー通路
１１２、１３２    突起
１３１    通路
１４１    貫通孔
１４２    歯
１５１    内側リング
１５２    外側リング
１６１    窓
１６２    噛合せ部分
１６３    戻止め
１６４    環状歯車
【図１】
0003140660.tif 000003
【図２】
0003140660.tif 000004
【図３】
0003140660.tif 000005
【図４】
0003140660.tif 000006
【図５】
0003140660.tif 000007